(57)【要約】【目的】  今日、巻尺に付加される角度表示装置等の付加装置は、単に巻尺のおまけではなく、一装置として精度よく機能しなければ意味のないものと判断されるようになってきているが、いまだにその取り付け方法は確立されていないので、角度表示装置等の表示装置を確実に且つ精度よくケースに装着することができる装着方法を提供することを目的とする。【解決手段】  角度計１を保持部材２によってケース３上に遊着し、その後、角度計１の指示表示がケース３の基準部位の基準表示と一致するように角度計１の位置を調節し、次に、保持部材２に設けられた孔２ｂから液状接着剤を注入し、少なくとも角度計１と保持部材２を接着固定する。【選択図】  図１
2007198878.tif 000002
【特許請求の範囲】
【請求項１】
表示装置のケースへの装着方法であって、所定の保持部材によって表示装置をケース上に遊着し、その後、表示装置の指示表示がケースの基準部位の基準表示と一致するように表示装置の保持位置を調節し、次に、保持部材および／または表示装置に設けられた接着剤の注入口から接着剤を注入し、少なくとも表示装置と保持部材を接着固定することを特徴とする表示装置のケースへの装着方法
【請求項２】
前記表示装置の任意の部位に保持部材と係着できる係着部が設けられ、その係着部が保持部材に設けられた受け部に遊着することを特徴とする請求項１の表示装置のケースへの装着方法
【請求項３】
前記係着部が表示装置の正面外周部に設けられた突部であることを特徴とする請求項２の表示装置のケースへの装着方法
【請求項４】
前記表示装置の正面外周部が円形状であることを特徴とする請求項２の表示装置のケースへの装着方法
【請求項５】
前記保持部材は表示装置が装着されるケースに係着されることを特徴とする請求項１の表示装置のケースへの装着方法
【請求項６】
前記ケースに保持部材の位置決め手段が設けられていることを特徴とする請求項５の表示装置のケースへの装着方法
【請求項７】
前記ケースが巻尺ケースであって、所定の保持部材によって表示装置を巻尺ケース上に遊着し、巻尺組み立て後、その表示装置の指示表示が巻尺ケースの基準部位の基準表示と一致するように表示装置の保持位置を調節し、次に、保持部材および／または表示装置に設けられた接着剤の注入口から接着剤を注入し、少なくとも表示装置と保持部材を接着固定することを特徴とする表示装置のケースへの装着方法
【請求項８】
前記保持部材はネジまたはピンまたは溶着または嵌合によって巻尺ケース上に係着されることを特徴とする請求項７の表示装置のケースへの装着方法
【請求項９】
前記保持部材は表示装置が装着される巻尺ケースを介在させると共に、巻尺ケースを形成する他の巻尺ケースと係着されることを特徴とする請求項７の表示装置のケースへの装着方法
【請求項１０】
前記巻尺ケースが右ハーフケースおよび左ハーフケースからなっており、その一方のハーフケース上に保持部材が係着されることを特徴とする請求項７の表示装置のケースへの装着方法
【請求項１１】
前記右ハーフケースまたは左ハーフケースの一方のハーフケースに固定ネジの本体が通過する通孔と頭部が係止する係止部が設けられ、他方のハーフケースは固定ネジの本体が通過する通孔が設けられ、保持部材には固定ネジの受け部が設けられていることを特徴とする請求項１０の表示装置のケースへの装着方法
【請求項１２】
前記固定ネジの頭部が係止され且つ固定ネジ本体部が通過するハーフケースに形成された通孔は、その周囲がハーフケースの内方に立ち上がる筒状体となっていることを特徴とする請求項１１の表示装置のケースへの装着方法
【請求項１３】
前記固定ネジの受け部が設けられた保持部材の当該受け部は、その周囲が内方に立ち上がる筒状体または有底筒状体となっていることを特徴とする請求項１１の表示装置のケースへの装着方法
【請求項１４】
前記固定ネジの頭部が係止されるハーフケースに形成された筒状体と、保持部材に形成された筒状体または有底筒状体は、それぞれの先端部が雄雌関係の嵌合形状になっており、左右ハーフケースと保持部材が組まれた際に前記先端部が嵌合することを特徴とする請求項１３の表示装置のケースへの装着方法
【請求項１５】
前記保持部材が巻尺ケース外面の任意の部位を兼用していることを特徴とする請求項７の表示装置のケースへの装着方法
【請求項１６】
前記接着固定が、表示装置と保持部材さらにはケース部材を接着固定することを特徴とする請求項１の表示装置のケースへの装着方法
【請求項１７】
前記接着剤の注入口から注入された接着剤が、少なくとも保持部材の受け部に到達できるようになっていることを特徴とする請求項１の表示装置のケースへの装着方法
【請求項１８】
前記表示装置が角度表示計であることを特徴とする請求項１の表示装置のケースへの装着方法
【発明の詳細な説明】
【技術分野】
【０００１】
本発明は、ケースに任意の表示装置を装着するための装着方法に関し、特に巻尺等の携帯道具のケースに装着して、そのケースが設置する面の傾斜角度を表示できる角度表示計のケースへの装着方法に関するものである。
【背景技術】
【０００２】
従来、巻尺ケースへの角度表示装置の取り付けは、角度表示装置をケース側面部位のケース部材上にネジや両面テープ等により且つ表示装置の指示表示がケースの基準部位の基準表示と一致するようにして取り付けられていた。
当然、このような方法で取り付けられた表示装置の表示は精度的にも劣るものであるが、角度表示装置が巻尺のおまけ程度に考えられていたため、角度表示装置による表示は目安となればよいものであった。
【発明の開示】
【発明が解決しようとする課題】
【０００３】
しかしながら、最近では巻尺に付加される角度表示装置等の付加装置は、単に巻尺のおまけではなく、一装置として精度よく機能しなければ意味のないものと判断されるようになってきている。
このため、従来のネジによる取り付けでは、取り付けの過程で何度も位置調節をしても、ネジ締付けの最後で角度表示装置等の付加装置が締付け回転方向にズレてしまうことがあり、また、ワッシャ等の座金を入れて締付けたとしても、その座金にネジ頭部の回転方向の力が作用するなどしてズレてしまうことがある。
【０００４】
また、両面テープでは気温の高低等によるテープの伸び等によって位置ズレが生ずる恐れがあり、精度を追求した取り付けには到底使用できる固定手段ではないのである。
従って、本発明は上述した問題点に鑑みてなされたもので、角度表示装置等の表示装置を確実に且つ精度よくケースに装着することができる装着方法を提供することを目的とするものである。
【課題を解決するための手段】
【０００５】
本発明の要旨とするところは、表示装置のケースへの装着方法であって、所定の保持部材によって表示装置をケース上に遊着し、その後、表示装置の指示表示がケースの基準部位の基準表示と一致するように表示装置の保持位置を調節し、次に、保持部材および／または表示装置に設けられた接着剤の注入口から接着剤を注入し、少なくとも表示装置と保持部材を接着固定することを特徴とする表示装置のケースへの装着方である。
【０００６】
本発明の表示装置のケースへの装着方法を説明すると、ケースとは、巻尺で説明すれば測定用のテープを収容する部材であり巻尺本本体である。他の道具ではその道具の本体となるものである。
例えば、巻尺においては、そのケース（巻尺ケース）は所望の形状に適宜形成された樹脂素材からなっており、その内部には周囲に測定目盛りが表示されたテープを巻回する回転ドラムが回転自在に支持されている。また、その回転ドラムの内部にはテープを巻き取るためのコイル状の巻き取りバネが設けられており、テープは巻き取り方向に付勢されている。
その巻尺ケースは、成型性に優れた樹脂素材を用いて一体的に成型されるものや金属素材等の他の素材を用いたものなどがある。
【０００７】
表示装置とは、巻尺等の道具（ケース）が置かれている状態やそれを置いている部材の状態を指針等の指示手段を用いたアナログ表示や数字や文字等を用いたデジタル表示等によって表示する装置（機器）である。また、本発明で用いられる表示装置は角度表示計を対象としている。しかしながら、ケースに装着する本装着方法はこの角度表示計に限定されるものではない。
角度表示計は、指針等によるアナログ表示や液晶等によるデジタル表示によって所定部位の角度を表示するようになっているもので、また、スラントレベル計とも呼ばれている。その角度表示計の内部構造や形状等も特に限定するものではないが、ケースへの設置部位やケース部材の大きさ等を考慮して選定すればよい。そして、アナログ表示による角度表示計をケース部材の特に側面に配設する場合は指針表示のものがよい。
【０００８】
ケースとは、任意の方法によって成型された単一のもの、あるいは、任意の方法によって成型されたものに任意の部品が装着されたり、また、任意の形状等の加工が施されたもの全てを含むものである。
ケースの角度表示計の指示基準とする部位は特に限定するものではない。例えば、ケースの底面を基準としてもよい。すなわち、ケースを正立状態で置くことにより、そのケースの置かれている部材等の表面の傾斜角度が角度表示計によって表示される。この形態の時、角度表示計はケースの側面（側壁）に配設するのがよい。勿論、ケースの他の部位でもよく、角度表示計を装着する道具（巻尺等）の使用形態を考慮して所望の部位を基準とすればよい。
【０００９】
保持部材とは、表示装置すなわち角度表示計をケース上に遊着状態に取り付けるための部材である。保持部材の形状も特に限定するものではなく、角度表示計をケース上に遊着状態に取り付けることができるようになっていればよい。その遊着状態とは、角度表示計が保持部材によってケース上に脱落不可に取り付けられた後、少なくとも人の手（指）によって角度表示計の保持位置を調節（動かすことが可能）できるように取り付けられた状態である。
その遊着状態も、用いられる角度表示計やその角度表示計を保持する保持部材の形状（形態）を考慮して、その保持が容易に動かすことができるスルスル状態の保持（遊びの多い保持）としたり、また、角度表示計の調節に適当な力を入れて動かすような保持（きつめの保持）としてもよい。勿論、道具（巻尺等）の用途も考慮に入れて遊着状態を決定すればよい。
【００１０】
保持部材と角度表示計の保持形態、すなわち、保持部材による角度表示計の係着も、上述のように角度表示計をケース部材上に遊着状態に取り付けることができればよい。そして、その係着の具体的な形態は、角度表示の任意の部位に保持部材と係着できる係着部を設け、その係着部が保持部材に設けられた受け部に遊着や遊嵌するようにしてもよい。
その係着部の形状等も特に限定するものではなく、また、その係着部の設置部位としては、角度表示計の正面外周部に設けるのがよい。特に、角度表示計をケースの側面に配設する場合に有効である。勿論、保持部材側に設けられる係着部の受け部は、その係着部が設けられる位置に対応するように設ける。
また、保持部材のケースへの係着方法も特に限定するものではなく、ネジまたはピンまたは溶着または嵌合によってケース上に係着すればよい。ケースは、任意の道具のケースそして巻尺ケース等を指すものである。
【００１１】
角度表示計の正面外周部の形状も特に限定するものではないが、保持部材によって遊着状態にケース上に取り付けられた際、角度表示計の固定位置調整ができるようになっていなければならない。具体的な形状としては、角度表示計の正面外周部を円形状にするのが角度表示計の固定位置調節が容易にできる。
また、角度表示計の正面外周部を四角形等の角ばった形状にする場合は、角度表示計に設けられる係着部が係着される保持部材の受け部は、角度表示計がその中心を支点に、固定位置調節のためにケース面上を回動できるようにしなければならない。勿論、その回動範囲は、固定位置調節が可能な範囲にとどめるだけでよい。
【００１２】
そして、保持部材はケースの任意の部位、例えば、ケース上に係着（固定）されるが、そのケースも、角度表示計が装着されるケースとしたり、あるいは、角度表示計が装着されるケースと係着される他のケース部材であってもよい。
後者の形態は、例えば、巻尺のケースの形態であって、ケースが一対の半ケース（２ピース）あるいは３ピース以上のケースから構成されている場合で、その複数からなるケースの角度表示計が装着されるケース以外のケース部材に固定されるものである。この場合、保持部材が確実に固定できる形態であればよい。その具体的な形態は、保持部材が、角度表示計が装着（遊着）されるケースを介在した状態で他のケースに固定させる形態にしてもよい。また、ケースに保持部材の位置決め手段を設けてもよく、例えば、ケースと保持部材に凸部や凹部を設けてその嵌合で位置決めを行ってもよい。
【００１３】
その巻尺ケースの時、所定の保持部材によって表示装置を巻尺ケース上に遊着し、巻尺組み立て後、その表示装置の指示表示が巻尺ケースの基準部位の基準表示と一致するように表示装置の保持位置を調節し、次に、保持部材および／または表示装置に設けられた接着剤の注入口から接着剤を注入し、少なくとも表示装置と保持部材を接着固定するのがよい。
保持部材の固定形態をさらに説明すると、ケースを右ハーフケースおよび左ハーフケースから構成し、その一方の所望のハーフケース上に保持部材を固定する。そして、右ハーフケースまたは左ハーフケースの一方のハーフケースに固定ネジの本体が通過する通孔と頭部が係止する係止部を設けると共に、他方のハーフケースには固定ネジの本体が通過する通孔を設け、さらに、保持部材には固定ネジの受け部を設ける。
また、固定ネジの頭部が係止されるハーフケースの固定ネジ本体が通過する通孔を、その周囲がハーフケース内方に立ち上がる筒状体とし、固定ネジの受け部が設けられた保持部材の受け部を、その周囲が内方に立ち上がる筒状体または有底筒状体としてもよい。そして、固定ネジの頭部が係止されるハーフケースに形成された筒状体と、保持部材に形成された筒状体または有底筒状体は、それぞれの先端部が雄雌関係の嵌合形状になるように形成し、左右ハーフケースと保持部材が組まれた際に前記先端部が嵌合するようにしてもよい。
【００１４】
従って、角度計を巻尺ケースへ装着する場合は、上述のようなケース、保持部材、角度表示計が用いられて、角度表示計が保持部材によって巻尺ケース上に遊着される。そして巻尺が組み立てられた後、角度表示計の指示表示（指針表示）が巻尺ケースの基準部位とした巻尺ケースの底面と一致するように角度表示計の保持位置を調節し、次に、保持部材および／または表示装置に設けられている接着剤の注入口から接着剤を注入し、表示装置と保持部材を接着固定すればよい。そして、接着剤の注入口から注入された接着剤は、少なくとも保持部材の受け部に到達できるようにするのがよい。勿論、表示装置と保持部材だけではなく巻尺ケースも含めて接着固定してもよい。
また、保持部材の全部または一部を、保持部材が取り付けられた巻尺ケースの外面（化粧面）となるようにしてもよい。すなわち、保持部材を巻尺ケース外面の任意の部位を兼用させてもよい。
【発明の効果】
【００１５】
本発明の表示装置の巻尺ケースへの装着方法は以上のような方法であるので、ネジにより角度表示装置等の表示装置をケース上に取り付ける際も、従来のようにネジの締付けによる回転力で角度表示装置等の表示装置が回転方向にズレてしまうことがない。従って、角度表示装置等の表示装置を確実に且つ精度よく巻尺ケースに装着することができる。さらには、本方法を用いることによって、任意のケース部材に角度計等の表示装置を確実に且つ精度よく装着できる。
【発明を実施するための最良の形態】
【００１６】
本発明の表示装置の巻尺ケースへの装着方法を以下図面に従って説明すると、図１は、角度計のケースへの装着形態を示す一部切欠き分解側面図である。（ａ）図は、角度計／保持部材／ケース／固定ネジの分解側面図で、（ｂ）図は、角度計／保持部材／ケース／固定ネジが組まれた状態である。
１は角度計、１ａは角度計１の周壁に形成された係着突起、２は保持部材、２ａは保持部材２に形成された角度計１の係着突起１ａが遊着する係着部、２ｂは接着剤が注入される孔、２ｃは固定ネジ４のネジ部４ｂが螺着するネジ受部、３は角度計１を装着するケース、３ａは固定ネジ４のネジ部４ｂが挿通されるネジ挿通部、４は固定ネジ、４ａは固定ネジ４の頭部、４ｂは固定ネジ４のネジ部である。
そして、（ｂ）図の角度計／保持部材／ケース／固定ネジが組まれた状態で、角度計１の指示がケース３の角度基準部位の指示となるように角度計１を任意に動かし調節し、その後、保持部材２の孔２ｂから液状接着剤を注入し、角度計１と保持部材２、さらには、角度計１と保持部材２とケース３を接着固定する。これによって角度計１がケース３に装着される。
本図は、角度計１／保持部材２／ケース３の係わりで、角度計１／保持部材２／ケース３の形状は所望となる。
【００１７】
図２は、角度計のケースへの装着形態を示す一部切欠き分解側面図であり、本図は、固定ネジ４の取付方向が図１の方向と異なるものある。（ａ）図は、角度計／保持部材／ケース／固定ネジの分解側面図で、（ｂ）図は、角度計／保持部材／ケース／固定ネジが組まれた状態である。
すなわち、図１では、固定ネジ４の頭部４ａがケース３のネジ挿通部３ａの端部に係止される構造であるが、図２では、固定ネジ４の頭部４ａが保持部材２に設けられた固定ネジ４のネジ部４ｂが挿通されるネジ挿通２ｄの端部に係止される。そして、固定ネジ４のネジ部４ｂは、ケース３に設けられたネジ受部３ｂに螺着する。
【００１８】
図３は、角度計の巻尺ケースへの装着形態を示す分解斜視図であり、１は角度計、１ａは角度計１の周壁に形成された係着突起、１ｂは角度表示用の指針、２は保持部材、２ａは保持部材２に形成された角度計１の係着突起１ａが遊着する係着部、２ｂは接着剤が注入される孔、２ｃは固定ネジ４のネジ部４ｂが螺着するネジ受部、４は固定ネジ、４ａは固定ネジ４の頭部、４ｂは固定ネジ４のネジ部、５は巻尺ケースを形成する片側のハーフケース、５ａは固定ネジ４のネジ部４ｂが挿通されるネジ挿通部、５ｂは固定ネジ４のネジ部４ｂが通過する通孔、５ｃは内部に装着された回転ドラム（図示なし）に巻回する測定テープ（図示なし）が出入りするテープ出入口、５ｄは回転ドラム（図示なし）を支持する軸、５ｅは軸５ｄの先端が係着する軸受部、５ｆは軸５ｄを固定するネジ（図示なし）のネジ部（図示なし）が通過する通孔である。
【００１９】
そして、固定ネジ４の締付けにより、固定ネジ４のネジ部４ｂが挿通するネジ挿通部を有するハーフケース５と固定ネジ４のネジ部４ｂが通過する通孔５ｂを有するハーフケース５が合わさり、且つ、保持部材２によって角度計１がハーフケース５上に遊着される。すなわち、巻尺（巻尺ケース）が完成する。
この状態で、角度計１の指示が巻尺ケース（ハーフケース５）の角度基準部位、例えば、巻尺ケース底部（図では下方部）の指示となるように角度計１を任意に動かし（回動）調節し、その後、保持部材２の孔２ｂから液状接着剤を注入し、角度計１と保持部材２、さらには、角度計１と保持部材２とーフケース５を接着固定する。これによって角度計１が巻尺ケースに装着される。
【００２０】
図４から図６は、巻尺のハーフケースと保持部材を示す斜視図であり、保持部材をネジ以外の手段で取り付ける一例を示すものである。図４は、ピン４ｃをハーフケース５のピン受部５ｍに圧入することによって保持部材２を取り付けるものである。また、２ｆはピン４ｃが通過するための通孔、５ｌは固定ネジ４のネジ受部である。図５は、ネジ受部５ｌがピン４ｃの圧入部すなわちピン受部５ｍを兼用するものである。図６は、保持部材２の嵌合ツメ２ｇをハーフケース５の嵌合孔５ｎに嵌合させて保持部材２を取り付けるものであり、この場合は、角度計１と保持部材２さらにはハーフケース５を接着固定する。
【００２１】
図７は、巻尺のハーフケースと固定ネジを示す斜視図であり、固定ネジ４のネジ部４ｂはハーフケース５のネジ挿通部５ａを通過し、また、固定ネジ４の頭部４ａはハーフケース５の係止部５ｇに係止される。
【００２２】
図８から図１０は、巻尺のハーフケースと保持部材を示す斜視図である。固定ネジ４の締付けによって巻尺ケースが完成すると、ハーフケース５のネジ挿通部５ａの先端と保持部材２のネジ受部２ｃの先端が当接する。その当接された先端をズレ難くする一例を示したものである。図８では、ハーフケース５のネジ挿通部５ａを長くすると共に保持部材２のネジ受部２ｃを短くし、前記当接部をより保持部材２よりに位置させたものである。また、図９では、ハーフケース５のネジ挿通部５ａを短くすると共に保持部材２のネジ受部２ｃを長くし、前記当接部をよりハーフケース５よりに位置させたものである。そして、図１０は、ハーフケース５のネジ挿通部５ａと保持部材２のネジ受部２ｃをほぼ同じ長さにするが、保持部材２のネジ受部２ｃの先端にハーフケース５のネジ挿通部５ａに嵌合する嵌合突起２ｅを設けたものである。勿論、その嵌合突起はハーフケース５のネジ挿通部５ａの先端に設けてもよい。さらには、図８と図９のハーフケース５のネジ挿通部５ａまたは保持部材２のネジ受部２ｃにも嵌合突起を設けてもよい。
【００２３】
図１１および図１２は、角度計と保持部材を示す斜視図であり、保持部材２と角度計１の係着状態を示すものである。図１１は、係着状態を角度計１の正面から見るもので、１は角度計、１ｂは角度表示用の指針、２は保持部材、２ｂは保持部材２と角度計１を固定するための接着剤が注入される孔である。右図は、孔２ｂの箇所の拡大図である。図１２は、係着状態を角度計１の背面から見るもので、１は角度計、１ａは角度計１の周壁に形成された係着突起、２は保持部材、２ａは保持部材２に形成された角度計１の係着突起１ａが遊着する係着部である。角度計１はこの係着部２ａの範囲で動くことができる。すなわち、角度計１が係着部２ａの範囲で矢印方向に回動でき、巻尺ケースの角度基準部位の指示表示となるように角度計１の指示調節を行うことができる。右図は、係着部２ａの箇所の拡大図である。
【００２４】
図１３は、角度計が装着された巻尺の一例を示す斜視図であり、（ａ）図は、通常の巻尺に角度計を装着したもので、（ｂ）図は、巻尺ケースを磁着可能な金属に磁着させるためのマグネットを底部に設けたものである。１は角度計、１ｂは角度計１の指針、２は保持部材で、巻尺ケースのケース面（化粧面）を兼ねている。５は巻尺ケースのハーフケースであり、本巻尺ケースは左右のハーフケース５が合わされてなっている。５ｈは寸法測定用のテープ、５ｉは被測定部材の端部に引っ掛けるためのフック、５ｊはテープ５ｈを引き出した状態で固定するブレーキを操作するためのブレーキレバー、５ｋは巻尺ケースを磁着可能な金属に磁着させるためのマグネットである。
【００２５】
図１４および図１５は、使用例を示す図であり、図１４は、図１３の（ａ）図の巻尺を部材６面に置いてその部材６面の水平状態を見ているものである。図１５は、巻尺を磁着可能な金属のパイプ７上に磁着させてそのパイプ７の傾斜状態を見ているものである。
【００２６】
図１６は、角度計が装着された下振りの一例を示す斜視図であり、１は角度計、１ｂは角度計１の指針、２は保持部材、４は保持部材２を下振ケース８に固定するための固定ネジである。８ａは下振ケース８を木材等に固定する針を打つための針打ボタン、８ｂは下振ケース８を磁着可能な金属に磁着させるためのマグネット、８ｃは使用する錘の吊り合いを調節するための吊合調節部、８ｄは錘を取り付けるための錘フックである。
【００２７】
図１７および図１８は、使用例を示す図であり、図１７は、図１６の下振り（下振ケース８）を壁９に固定してその壁背９の垂直状態を見ているものである。図１８は、図１６の下振り（下振ケース８）を柱１０の支材１０ａに固定してその支材１０ａの傾斜状態を見ているものである。
【００２８】
図１９は、角度測定具の正面図であり、すなわち、本方法によって角度計１をケース（ケースＡＳＳＹ）に配設した角度測定用の道具である。１は角度計、１ｂは角度計１の指針、２は保持部材、１１は角度計１が装着された角度計ケース（ケースＡＳＳＹ）、１１ａは角度測定用を磁着可能な金属に磁着させるためのマグネットである。
図２０は、角度測定具の斜視図である。
【図面の簡単な説明】
【００２９】
【図１】角度計のケースへの装着形態を示す一部切欠き分解側面図
【図２】角度計のケースへの装着形態を示す一部切欠き分解側面図
【図３】角度計の巻尺ケースへの装着形態を示す分解斜視図
【図４】巻尺のハーフケースと保持部材を示す斜視図
【図５】巻尺のハーフケースと保持部材を示す斜視図
【図６】巻尺のハーフケースと保持部材を示す斜視図
【図７】巻尺のハーフケースと固定ネジを示す斜視図
【図８】巻尺のハーフケースと保持部材を示す斜視図
【図９】巻尺のハーフケースと保持部材を示す斜視図
【図１０】巻尺のハーフケースと保持部材を示す斜視図
【図１１】角度計と保持部材を示す斜視図
【図１２】角度計と保持部材を示す斜視図
【図１３】角度計が装着された巻尺の一例を示す斜視図
【図１４】使用例を示す図
【図１５】使用例を示す図
【図１６】角度計が装着された下振りの一例を示す斜視図
【図１７】使用例を示す図
【図１８】使用例を示す図
【図１９】角度測定具の正面図
【図２０】角度測定具の斜視図
【符号の説明】
【００３０】
１−角度計，１ａ−係着突起，１ｂ−指針，２−保持部材，２ａ−係着部，２ｂ−孔，２ｃ−ネジ受部，２ｄ−ネジ挿通部，２ｅ−嵌合部，２ｆ−通孔，２ｇ−嵌合ツメ，３−ケース，３ａ−ネジ挿通部，３ｂ−ネジ受部，４−固定ネジ，４ａ−頭部，４ｂ−ネジ部，４ｃ−ピン，５−ハーフケース，５ａ−ネジ挿通部，５ｂ−通孔，５ｃ−テープ出入口，５ｄ−軸，５ｅ−軸受部，５ｆ−通孔，５ｇ−係止部，５ｈ−テープ，５ｉ−フック，５ｊ−ブレーキレバー，５ｋ−マグネット，５ｌ−ネジ受部，５ｍ−ピン受部，５ｎ−嵌合孔，６−部材，７−パイプ，８−下振ケース，８ａ−針打ボタン，８ｂ−マグネット，８ｃ−吊合調節部，８ｄ−錘フック，９−壁，１０−柱，１０ａ−支材，１１−角度計ケース，１１ａ−マグネット
【図１】
2007198878.tif 000003
【図２】
2007198878.tif 000004
【図３】
2007198878.tif 000005
【図４】
2007198878.tif 000006
【図５】
2007198878.tif 000007
【図６】
2007198878.tif 000008
【図７】
2007198878.tif 000009
【図８】
2007198878.tif 000010
【図９】
2007198878.tif 000011
【図１０】
2007198878.tif 000012
【図１１】
2007198878.tif 000013
【図１２】
2007198878.tif 000014
【図１３】
2007198878.tif 000015
【図１４】
2007198878.tif 000016
【図１５】
2007198878.tif 000017
【図１６】
2007198878.tif 000018
【図１７】
2007198878.tif 000019
【図１８】
2007198878.tif 000020
【図１９】
2007198878.tif 000021
【図２０】
2007198878.tif 000022